(57)【要約】【課題】  携帯電話機の充電時においてもイヤホンマイク等を使用して電話対応が行えるとともに、音楽等も聴くことができるようにする。【解決手段】  携帯電話機２０の充電用端子２１と音声用端子２２とが並設されるコネクタ２４に連結可能で、携帯電話機２０の充電用端子２１と音声用端子２２とに接続可能な充電用端子１０と音声用端子１１とを備える第１のコネクタ２と、端末音声器具３２が接続される音声用端子１３、１５を備える第２のコネクタ３、４と、第１のコネクタ２の音声用端子１１と第２のコネクタ３、４の音声用端子１３、１５とを接続する音声信号ライン１７ａ、１７ｂとを備えることを特徴とする携帯電話機用充電器。【選択図】図４
0003156803.tif 000002
【実用新案登録請求の範囲】
【請求項１】
携帯電話機の充電用端子と音声用端子とが並設されるコネクタに連結可能で、前記携帯電話機の充電用端子と音声用端子とに接続可能な充電用端子と音声用端子とを備える第１のコネクタと、
端末音声器具が接続される音声用端子を備える第２のコネクタと、
前記第１のコネクタの音声用端子と前記第２のコネクタの音声用端子とを接続する音声信号ラインと、
を備えることを特徴とする携帯電話機用充電器。
【請求項２】
前記第２のコネクタとして、前記携帯電話機のコネクタと同一構造ものを有する請求項１記載の携帯電話機用充電器。
【請求項３】
前記第２のコネクタとして、前記携帯電話機のコネクタと同一構造のものとピン差し込み形のものとの２個備える請求項１記載の携帯電話機用充電器。
【請求項４】
充電用電池を内蔵する請求項１、２または３記載の携帯電話機用充電器。
【請求項５】
電源接続使用される請求項１、２または３記載の携帯電話機用充電器。
【考案の詳細な説明】
【技術分野】
【０００１】  この考案は、携帯電話機用充電器に関する。
【背景技術】
【０００２】  最近の携帯電話機として、その設計、製造が容易に行えるように充電用端子と音声用端子とを並設して一つのコネクタに納める構造のものが提供されている。
【考案の概要】
【考案が解決しようとする課題】
【０００３】  上記構成の携帯電話機においては、そのコネクタを使用して充電を行っている間は音声用端子が充電器側のコネクタで覆われた状態となり、イヤホンマイクの接続使用が行えない。したがって、イヤホンマイクを使用しての電話対応が行えないとともに、音楽等を聴くこともできなかった。【０００４】  この考案では、携帯電話機の充電時においてもイヤホンマイクを使用しての電話対応が行えるとともに、音楽等も聴くことができるようにすることを目的とする。
【課題を解決するための手段】
【０００５】  この考案では、携帯電話機の充電用端子と音声用端子とが並設されるコネクタに連結可能で、前記携帯電話機の充電用端子と音声用端子とに接続可能な充電用端子と音声用端子とを備える第１のコネクタと、端末音声器具が接続される音声用端子を備える第２のコネクタと、前記第１のコネクタの音声用端子と前記第２のコネクタの音声用端子とを接続する音声信号ラインとを備えることを特徴とする携帯電話機用充電器を提供する。【０００６】  上記構成によれば、携帯電話機のコネクタに携帯電話機用充電器の第１のコネクタが連結されて充電が行われている際に、第２のコネクタの音声用端子に音声端末機器の音声用端子が接続されると、第２のコネクタの音声用端子は音声信号ラインを介して携帯電話機の音声用端子に接続される第１のコネクタの音声用端子に接続されているので、これにより携帯電話機の充電中においても音声端末機器の使用が可能となる。【０００７】  第２のコネクタが携帯電話機のコネクタと同一構造のものとされることで、携帯電話機のコネクタに接続使用されるコネクタを持つ音声端末機器がそのまま携帯電話機用充電器に接続使用できる。また、それにくわえて第２のコネクタとしてピン差し込み形のものを備える構成とすることで、ピン型音声用端子を持つ音声端末機器の接続使用が可能となる。【０００８】  この考案の携帯電話機用充電器は充電用電池を内蔵する構成であっても、電源接続使用される構成であってもよく、また、充電用電池を使用する場合は、その充電用電池はリチウム電池や乾電池等適宜とされてよい。
【考案の効果】
【０００９】  この考案の携帯電話機用充電器を使用することで、携帯電話機の充電時においてもイヤホンマイク等を使用しての電話対応が行えるとともに、音楽等も聴くことができるようになる。
【図面の簡単な説明】
【００１０】
【図１】  この考案の携帯電話機用充電器の実施形態の前面側の斜視図
【図２】  この考案の携帯電話機用充電器の実施形態の背面側の斜視図
【図３】  この考案の携帯電話機用充電器の実施形態の接続使用状態図
【図４】  この考案の携帯電話機用充電器の実施形態の接続使用回路構成図
【図５】  この考案の携帯電話機用充電器の他の実施形態の回路構成図
【考案の実施形態】
【００１１】  図１はこの考案の携帯電話機用充電器の前面側の斜視図、図２は同背面側の斜視図、図３は同接続使用状態図、図４は同接続使用回路構成図である。
携帯電話機用充電器１は前面にコネクタＡ（第１のコネクタ）２を、背面にコネクタＢ（第２のコネクタ）３を、側面にコネクタＣ（第２のコネクタ）４を備えるとともに、内部に充電用電池６とそれに接続される充電回路８とを備えている。
【００１２】  コネクタＡ２は携帯電話機２０のコネクタ２４に連結可能で、その充電用端子２１と音声用端子２２とに接続可能な充電用端子１０と音声用端子１１とを備えている。コネクタＢ３は携帯電話機２０のコネクタ２４と同一構成で、充電用端子１２と音声用端子１３とを備えている。コネクタＣ４はピン差し込み形で音声用端子１５を備えている。
【００１３】  上記充電用端子１０と充電回路８と充電用電池６と充電用端子１２とが充電用ライン１６により接続され、音声用端子１１と音声用端子１３及び音声用端子１５とがそれぞれ音声信号ライン１７ａ、１７ｂにより接続されている。
【００１４】  上記携帯電話機用充電器１の使用について説明する。充電時にはコネクタＡ２が携帯電話機２０のコネクタ２４に連結され、充電用端子１０が充電用端子２１に接続されることで、充電用電池６からの電気が充電用ライン１６を介して携帯電話機２０に与えられて充電がなされる。また、音声用端子１１も音声用端子２２に接続される。
【００１５】  その際、イヤホンマイク（端末音声器具）３２を接続使用する場合は、その接続具３９のコネクタ３３を携帯電話機用充電器のコネクタＢ３に連結する。その連結によりコネクタ３３の音声用端子３５がコネクタＢ３の音声用端子１３に接続され、その音声用端子１３は音声信号ライン１７ａを介して携帯電話機２０の音声用端子２２に接続される音声用端子１１に接続されていることで、携帯電話機２０の充電中においてもイヤホンマイク３２の使用が可能となって、電話対応ができるとともに、また、音楽等を聴くこともできる。
【００１６】  上記接続具３９のコネクタ３３を非充電時に直接携帯電話機２０のコネクタ２４に連結使用することでイヤホンマイク３２の使用が行える。これに対し、ピン型音声用端子４０を持つイヤホンマイク４１を使用する場合には、そのピン型音声用端子４０をコネクタＣ４に差込み連結する。これによりはピン型音声用端子４０と音声用端子１５とが接続され、その音声用端子１５は音声信号ライン１７ｂを介して携帯電話機２０の音声用端子２４に接続される音声用端子１１に接続されていることで、携帯電話機２０の充電中においてもイヤホンマイク４１の使用が可能となる。
【００１７】  ５０は携帯電話機用充電器１の充電用電池６そのものを充電する充電用具であり、コネクタ５２がコネクタＢ３に連結されることでその充電用端子１２が充電用具５０の充電用端子５５に接続され、これにより家庭や車両のコンセント電源から電気が与えられることで携帯電話機用充電器１の充電用電池６の充電が行われる。
【００１８】  図５は携帯電話機用充電器１の他の実施形態を示す。この携帯電話機用充電器１は電池を内蔵せず充電時には家庭や車両のコンセント電源に接続使用される。充電時には、上記実施形態のものと同様に、コンセントＢ３、コンセントＣ４を使用してのイヤホンマイク３２、４１の使用が行える。コンセントＢ３は充電用端子を備えていない。図中の番号が付された各要素は、上記実施例において同番号が付された要素と同一のものである。
【符号の説明】
【００１９】１  携帯電話機用充電器
２  コネクタＡ（第１のコネクタ）
３  コネクタＢ（第２のコネクタ）
４  コネクタＣ（第２のコネクタ）
１０  コネクタＡの充電用端子
１１  コネクタＡの音声用端子
１３  コネクタＢの音声用端子
１５  コネクタＣの音声用端子
１７ａ  音声信号ライン
１７ｂ  音声信号ライン
３２    イヤホンマイク（端末音声器具）
４１    イヤホンマイク（端末音声器具）
【図１】
0003156803.tif 000003
【図２】
0003156803.tif 000004
【図３】
0003156803.tif 000005
【図４】
0003156803.tif 000006
【図５】
0003156803.tif 000007